(57)【要約】【課題】紙パックに塵埃を収集しながらも、吸い込み力の低下を軽減する電気掃除機。【解決手段】本体部の後方に、コードリールギア１０６を有するコードリールとファンモータとを備え、本体部の前方に、ごみを収集して格納する袋状フィルター１０３と袋状フィルター１０３の上部を叩くアーム１１２を有する除塵機構とを備える。除塵機構は、コードリールギア１０６と連結され、コードリールギアの回転力により駆動され、除塵ケース蓋１１３の開放時にはコードリールギア１０６との連結が非連結状態になる【選択図】      図１
2006095062.tif 000002
【特許請求の範囲】
【請求項１】
吸引気流を発生させ、発生した気流によりごみを集塵する電気掃除機において、本体部の除塵ケース内に設けられたごみを収集して格納する袋状フィルターと、該袋状フィルターの上部を叩く除塵機構とを備えることを特徴とする電気掃除機。
【請求項２】
前記除塵機構は、前記除塵ケース上部に設けられる除塵ケース蓋の内面に、除塵ケース蓋の内面と袋状フィルターの上面との間に形成される空気流路内に配置されることを特徴とする請求項１記載の電気掃除機。
【請求項３】
前記除塵機構は、本体側に備えられるコードリールに設けられ、電源コードの出し入れにより回転するコードリールギアと連結され、コードリールギアの回転力により駆動され、前記除塵ケース上部に設けられる除塵ケース蓋の開放時にはコードリールギアとの連結が非連結状態になることを特徴とする請求項１または２記載の電気掃除機。
【請求項４】
前記除塵ケース上部に設けられる除塵ケース蓋の一部に空気吸入口を設け、該空気吸入口から流入する空気流により回転する風車の回転力により、前記除塵機構を駆動することを特徴とする請求項１記載の電気掃除機。
【請求項５】
吸引気流を発生させ、発生した気流によりごみを集塵する電気掃除機において、本体部の後方に、コードリールギアを有するコードリールとファンモータとを備え、本体部の前方に、ごみを収集して格納する袋状フィルターと該袋状フィルターの上部を叩く除塵機構とを備え、該除塵機構は、前記コードリールギアと連結され、コードリールギアの回転力により駆動され、除塵ケース蓋の開放時にはコードリールギアとの連結が非連結状態になることを特徴とする電気掃除機。
【発明の詳細な説明】
【技術分野】
【０００１】
本発明は、電気掃除機に係り、特に、袋状フィルター（紙パック）にごみを収集しながらも吸い込み力の低下を軽減する電気掃除機に関する。
【背景技術】
【０００２】
従来技術による電気掃除機は、ごみを収集して格納する本体側のダストケースを有する掃除機本体と、掃除機本体に接続可能なホース部と、該ホース部に接続可能で内部に風路を形成したグリップ部と、該グリップ部に接続可能で風路を形成した延長管部と、該延長管部に接続可能な床用吸口体部とを備えて構成されるのが一般的である。そして、前述のダストケース内には、袋状フィルター（一般には紙パックと呼ばれており、以下、単に、紙パックという）が設けられ、吸口体部から吸いこまれたごみは、紙パックの中に貯められて、紙パックが一杯になった場合に、紙パックごと廃棄される。なお、袋状フィルターは、布製の場合もあり、この場合、収集したごみを廃棄後、布製のフィルターを洗浄するなどして再利用することが可能である。電気掃除機に関しては、前述のような基本構成を備えることを前提として種々の提案がなされている。例えば、この種の電気掃除機に関する従来技術として、例えば、特許文献１、２等に記載された技術が知られている。
【０００３】
特許文献１に記載された従来技術は、プリーツフィルタへの振動付与手段にコードリールの回転を伝達することによりプリーツフィルタに補足された塵埃を落下させる機構を有し、電源コードの引き出し時には、コードリールの回転を前述の振動付与手段に伝達不能とし、電源コードの巻き取り時には、コードリールの回転を前述の振動付与手段に伝達可能とするものである。また、特許文献２に記載された従来技術は、紙パック等の集塵手段に付着した塵埃を除塵する除塵手段を、紙パックの後方に配置して設け、使用者の操作や電気掃除機の状態に合わせて除塵手段の動作、停止を制御するというものである。そして、この従来技術での除塵手段は、電気的な振動発生手段振動させられて除塵を行うものである。
【特許文献１】特開２００４−１６７０６６号公報
【特許文献２】特開２００４−１３５９５８号公報
【発明の開示】
【発明が解決しようとする課題】
【０００４】
一般に、紙パックを使用する電気掃除機は、紙パック内に収集した塵埃を吸引しながら床面等の掃除を行っているため、紙パックが一杯にならなくても、細かい塵埃が紙パックの内面に付着することにより、紙パックが目詰まりし、塵埃の吸引力が低下してしまうという課題を有している。前述した特許文献１、２に記載の従来技術は、いずれも、プリーツフィルタ、紙パックに塵埃が付着して塵埃の吸引力が低下してしまうことを防止することを可能とするものであるが、長時間に渡って吸引力を低下させないようにするには不充分なものであった。
【０００５】
本発明の目的は、前述した従来技術の問題点を解決し、塵埃を紙パック内に収集しながらも、強い吸引力を保つことができる電気掃除機を提供することにある。
【課題を解決するための手段】
【０００６】
本発明によれば前記目的は、吸引気流を発生させ、発生した気流により塵埃を集塵する電気掃除機において、本体部の除塵ケース内に設けられた塵埃を収集して格納する袋状フィルターと、該袋状フィルターの上部を叩く除塵機構とを備えることにより達成される。
【０００７】
また、前記目的は、吸引気流を発生させ、発生した気流により塵埃を集塵する電気掃除機において、本体部の後方に、コードリールギアを有するコードリールとファンモータとを備え、本体部の前方に、塵埃を収集して格納する袋状フィルターと該袋状フィルターの上部を叩く除塵機構とを備え、該除塵機構が、前記コードリールギアと連結され、コードリールギアの回転力により駆動され、除塵ケース蓋の開放時にはコードリールギアとの連結が非連結状態になることにより達成される。
【発明の効果】
【０００８】
本発明によれば、細かい塵埃が紙パックの内面に付着した場合にも、１回の掃除の前後または何れか一方で、紙パックの内面に付着した塵埃を落とすことができるので、塵埃を紙パック内に収集しながらも、強い吸引力を保って掃除を続けることができる。
【発明を実施するための最良の形態】
【０００９】
以下、本発明による電気掃除機の実施形態を図面により詳細に説明する。
【００１０】
図１は本発明の一実施形態による電気掃除機の構造を説明する集塵ケースの蓋を開けた状態を示す本体部の斜視図、図２は本発明の一実施形態による電気掃除機の内部構造を示す平面図である。図１、図２において、１０１は下ケース、１０２は上ケース、１０３は袋状フィルター（紙パック）、１０３’は口紙、１０４はクランプ（口紙押さえ）、１０５は電源コード、１０６はコードリールギア、１０６’はコードリール、１０７はハンドル、１０８はコードリール引込みボタン、１０９はリンクギアＡ、１１０はリンクギアＢ、１１１はアームギア（Ｌ、Ｒ）、１１２はアーム、１１３は集塵ケース蓋、１１４はリブＡ、１１５はリブＢ、１１６は車輪、１１７はファンモータ、１１８は基板、１１９はホース差込み口、１２０はバンパー（兼パッキン）、１２１はシャフト、１２２はリンクギアＣ、１２３はリンクギアＤ、１２４はアーム支持板、１２５は集塵室である。
【００１１】
本発明の一実施形態による電気掃除機の本体部は、図１、図２に示すように、移動用の車輪を有する下ケース１０１と、集塵室１２５の上部に開口を有する上ケース１０２と、上ケース１０２に回動可能に系合され、集塵室１２５を覆う集塵ケース蓋１１３と、下ケース１０１に設けられるホース差込み口１１９とによりその外形が形成され、下ケース１０１と上ケース１０２との結合部にはバンパー（兼パッキン）１２０が設けられる。持ち運び用のハンドル１０７が上ケース１０２に設けられている。
【００１２】
本体部の内部に形成される集塵室１２５の内部には、紙パック１０３の口紙１０３’に設けられた穴がホース差込み口１１９に向き合うように紙パック１０３が収納され、紙パック１０３の口紙１０３’とは反対側の集塵室１２５に隣り合う部分に、吸い込み空気流を作るファンモータ１１７と、制御基板１１８、コードリールギア１０６を持ったコードリール１０６’と、このコードリール１０６’に巻き込まれた電源コード１０５とが収納されている。コードリール１０６’の内部には、よく知られているように、電源コード１０５を引き出したときに巻かれた力を蓄えるゼンマイが設けられ、電源コード１０５を収納する場合、ゼンマイに蓄えられた力により、電源コード１０５がコードリール１０６’に巻き込まれる。
【００１３】
そして、本体部のホース差込み口１１９に接続される塵埃の吸い込み口を有する連結部材は、図１、図２には示していないが、よく知られているように、例えば、ホース差込み口１１９に接続可能なホース部と、該ホース部に接続可能で内部に風路を形成したグリップ部と、該グリップ部に接続可能で風路を形成した延長管部と、該延長管部に接続可能な吸口継ぎ手部と、該吸口継ぎ手部に接続された吸口体部とを備えて構成される。グリップ部には、手元操作用の各種のスイッチを有する手元スイッチが設けられている。掃除を行う場合、利用者は、集塵ケース蓋１１３を閉じ、吸い込み口を有する連結部材のホース部をホース差込み口１１９に差込み、連結部材のグリップ部を持ち、手元スイッチにより、掃除機の起動、停止、吸い込み力の調整を行い、吸口体部を移動させながら掃除を行うことができる。
【００１４】
掃除を行っているとき、ファンモータ１１７により発生する吸引空気流により、紙パック１０３が集塵室１２５及び集塵ケース蓋１１３の内壁面に接するように膨らむが、集塵室１２５及び集塵ケース蓋１１３の内壁面に紙パック１０３が密着してしまうと、内壁面に沿った空気流が生じなくなり、集塵効率を低下させると共に、紙パック１０３のファンモータ１１７に対向する部位が細かい塵埃で目詰まりした場合等にファンモータ１１７を過負荷状態にしてしまう。これを防止するため、図１に示す本発明の実施形態による電気掃除機は、集塵ケース蓋１１３の内面に複数（図１では２つ）のリブＢ１１５が設けられており、紙パック１１３が膨らんだときにも、リブＢ１１５の作用により、集塵ケース蓋１１３の内面と紙パック１０３との間に吸引された空気流が流れる空間が形成されるようにされている。図１には示していないが、同様なリブが集塵室１２５を形成する下ケース１０１の底面にも設けられている。
【００１５】
前述したような構成を備えることにより、ファンモータ１１７により発生する吸引空気流は、紙パック１０３の全周から排出されることになり、効率的に塵埃の集塵を行うことができる。そして、掃除を続けることにより集塵される塵埃は、紙パック１０３の全周に付くようになり、特に、細かい塵埃が紙パック１０３全体を目詰まりさせてしまい、集塵効率を低下させてしまうことがある。そこで、本発明の実施形態は、集塵ケース蓋１１３の内面に設けた除塵機構により、紙パック１０３の上部を叩いて、紙パック１０３の内側に付着した塵埃を、紙パック１０３の空いた空間部に落とすようにしている。
【００１６】
本発明の実施形態で使用する除塵機構は、図１に示すように、集塵ケース蓋１１３の内側に回転させられるように取り付けられたその中央部が略コ字状部に形成された１または複数のアーム１１２により構成される。このアーム１１２は、バネ性のある金属、プラスチック等の線状部材により構成され、電源コード１０５の引き出し時、収納時に回転するコードリール１０６’と共に回転するコードリールギア１０６に系合される伝達機構により回転させられる。そして、アーム１１２のコ字状部が紙パック１０３の側に回転させられたとき、コ字状部が紙パック１０３の上部を叩くことになり、これにより、紙パック１０３の内側に付着した塵埃が、紙パック１０３の空いた空間部に落とされる。なお、アーム１１２のコ字状部が紙パック１０３の上部を叩く作用は、アーム１１２の回転だけでなく、集塵ケース蓋１１３の内面に設けられたリブＢ１１４とアーム１１２が持つバネ性により生じるものであるが、この機構の詳細については後述する。
【００１７】
次に、アーム１１２を回転させる伝達機構について説明する。
【００１８】
伝達機構は、集塵ケース蓋１１３の内側に設けられ、集塵ケース蓋１１３を閉じたときにコードリールギア１０６と系合するリンクギアＡ１０９、このリンクギアＡ１０９に結合されるシャフト１２１、このシャフト１２１のほぼ中央部に結合された傘状のリンクギアＣ１２２、このリンクギアＣに系合してシャフト１２１の回転方向を直角方向に変換する傘状のリンクギアＢ１１０、このリンクギアＢ１１０に直接結合されたリンクギアＤ１２３、このリンクギアＤ１２３に系合して両側に設けられ、アーム１１２の一端を保持してアーム１１２を回転させるアームギア（Ｌ、Ｒ）１１１により構成される。
【００１９】
そして、図１、図２に示す例において、集塵ケース蓋１１３を閉じた状態で、電源コード１０５を引き出すとき、及び、コードリール引込みボタンを押し、コードリール１０６’の内部に設けられるゼンマイ等による力により電源コードが引き込まれるとき、コードリール１０６’の回転に伴って回転するコードリールギア１０６の回転は、リンクギアＡに伝達され、前述したように構成される伝達機構を介してアームギア（Ｌ、Ｒ）１１１に伝達され、アームギア（Ｌ、Ｒ）１１１の中心部にその一端が結合され、多端がアーム支持板１２４に支持されているアーム１１２を回転させることになる。すでに説明したように、アーム１１２は、その中央部がコ字状に形成されて、このコ字状に形成された部分がアーム１１２の回転に伴って紙パック１０３の上部を叩くことになるが、本発明の実施形態は、２本のアーム１１２が同時に紙パック１０３を叩くことがないように、２本にアーム１１２のコ字状部の方向が１８０度異なるように取り付けられている。
【００２０】
前述したように構成される本発明の実施形態によれば、掃除の開始時に電源コード１０５を引き出すとき、掃除の終了時に電源コード１０５を収納するときに、２本のアーム１１２が紙パック１０３の上部を叩いて紙パック１０３の内側に付着した塵埃を紙パック１０３の内部に落とすことができるので、紙パック１０３に塵埃を収集しながらも、強い吸引力を維持し、効率的に掃除を続けることができる。
【００２１】
前述した本発明の実施形態は、電源コード１０５を引き出すとき、及び、電源コード１０５を収納するときの両方で紙パック１０３の上部を叩くものとして説明したが、本発明は、前述した伝達機構に簡単なクラッチ機構を設けて、電源コード１０５を引き出すとき、あるいは、電源コード１０５を収納するときの何れか一方でのみ紙パック１０３の上部を叩くように構成することができる。
【００２２】
例えば、コードリール１０６’、コードリールギア１０６の全体をバネ等による引っ張り力により、コードリールギア１０６がリンクギアＡに系合するようにしておき、電源コード１０５を引き出したとき、その引き出し力により前述のバネの引っ張り力に抗してコードリール１０６’と共にコードリールギア１０６を僅かに移動させ、コードリールギア１０６とリンクギアＡ１０９との系合を外すようにすることにより、電源コード１０５を収納するときにだけ紙パック１０３の上部を叩くようにすることができる。また、前述では、リンクギアＡ１０９とシャフト１２１とを結合しているとして説明したが、リンクギアＡ１０９とシャフト１２１との結合部に、リンクギアＡ１０９の特定の回転方向だけをシャフト１２１に伝達し、逆方向の回転時に滑るような機構を設けるようにすることもできる。このような機構を設けることにより、電源コード１０５を引き出すとき、あるいは、電源コード１０５を収納するときの何れが一方だけで紙パック１０３の上部を叩くようにすることができる。
【００２３】
前述において、電源コード１０５を収納するときにだけ紙パック１０３の上部を叩くようにする場合、通常、電源コード１０５の収納が、掃除を終了した直後に行われるため、紙パック１０３の内面に付着したばかりの塵埃は不安定に付着しており、湿気等が作用して塵埃の付着が強まった掃除の開始時に紙パック１０３の上部を叩く場合よりもより容易に塵埃を落とすことができる。さらに、この場合、電源コード１０５を引き出すときに、アーム１１２を回転させるための力が不要となるため、コードリール１０６’の内部のゼンマイを巻く力だけで、電源コード１０５を引き出すことができる。
【００２４】
また、前述した本発明の実施形態は、紙パック１０３を叩くアーム１１２を２つのアームギア（Ｌ、Ｒ）１１１に取り付けるとして説明したが、本発明は、同様な形状を有するアームをリンクギアＤ１２３にも取り付けて、３本のアームにより紙パック１０３の上部を叩くように構成することができる。この場合、各アームに設けられるコ字状部の方向をお互いに１２０度ずつ異なるように各アームを取り付けるとよい。また、本発明は、リンクギアＤ１２３に１本だけのアームを取り付けて、１本のアームだけで紙パック１０３の上部を叩くように構成してもよい。
【００２５】
図３は本発明の一実施形態による電気掃除機の本体部の内部の吸引空気流の流れについて説明する断側面図であり、図３において、２０１はキャスター車輪であり、他の符号は図１、図２の場合と同一である。
【００２６】
図示しない吸口体部から塵埃を吸引した空気流は、図３に示すように、ホース差込み口１１９からの空気流２０２となって紙パック１０３の内部に塵埃を運搬し、その後、主要な空気流２０３は、紙パック１０３の背面側からファンモータ１１７に吸引される。また、ホース差込み口１１９からの空気流２０２の一部は、集塵ケース蓋１１３と紙パック１０３との間に形成される上部空間に通る空気流２０５、２０６となり、その後、空気流２０７として主要な空気流２０３に合流する。また、ホース差込み口１１９からの空気流２０２の他の一部は、集塵室１２５の底面、すなわち、下ケース１０１の底面と紙パック１０３との間に形成され空間に通る空気流２０８、２０９となり、その後、空気流２１０として主要な空気流２０３に合流する。ファンモータ１１７に吸引された空気流２０３、２０７、２１０は、その後、本体部の背面から廃棄流２０４となって排出される。
【００２７】
吸口体部からの塵埃は、紙パック１０３に塵埃が溜まっていない状態では、主に、紙パック１０３のファンモータ１１７の側に溜まっていき、空気流２０３の通りが悪くなると、前述した上部空間に通る空気流２０５、２０６が多くなり、特に、細かい塵埃が紙パック１０３の内側上面に付着していくことになる。本発明の実施形態は、このような紙パック１０３の内側上面に付着し塵埃を落とすことができるので、紙パック１０３に塵埃を収集しながらも強い吸引力を保って掃除を行うことができる。
【００２８】
図４は集塵ケース蓋を開いた状態を示す断側面図であり、次に、これについて説明する。
【００２９】
前述で説明したように、本発明の実施形態は、集塵ケース蓋１１３の内側部にアーム１１２を回転させて紙パック１０３を叩く除塵機構、アーム１１２を回転させる伝達機構が設けられるため、紙パック１０３の上部と集塵ケース蓋１１３の内面との間にある程度大きな空間を確保する必要がある。このため、本発明の実施形態は、電気掃除機の本体部内に設けられるファンモータ１１７等を制御するための制御回路を備える基板１１８の位置を本体部の後方に移動させて配置しており、これにより、紙パック１０３の上部と集塵ケース蓋１１３の内面との間に大きな空間を確保することができ、この空間に、紙パック１０３を叩く除塵機構、アーム１１２を回転させる伝達機構を配置することができる。
【００３０】
図５は前述までに説明した本発明の実施形態において、アーム１１２のコ字状部が紙パック１０３の上部を叩く機構を説明する図であり、次に、これについて説明する。
【００３１】
すでに説明したように、アーム１１２は、バネ性を持った、すなわち、弾性を持った部材により構成され、２つのアーム１１２のコ字状部が１８０度異なる方向を向くように取り付けられて回転させられる。いま、２つのアーム１１２が、回転中心ｏに対して時計方向に回転させられて、図５（ａ）に示すような位置にあるものとする。このまま回転が続けられると、図５（ａ）の左側に示すアーム１１２のコ字状部の先端は、図５（ｂ）に示すように、集塵ケース蓋１１３の内面に設けたリブＡ１１４に当り、右側に示すアーム１１２のコ字状部の先端は、紙パック１０３の上面を叩き始めることになる。
【００３２】
さらに、回転が進むと、左側に示すアーム１１２のコ字状部の先端は、図５（ｃ）に示すように、リブＡ１１４に当った状態で回転が一時的に阻害されて撓みアーム１１２の持つバネ性により力を貯めることになる。その後、さらに、回転が進むと、リブＡ１１４に当った状態で回転が一時的に阻害されていた左側のアーム１１２のコ字状部の先端がリブＡ１１４から外れて急速に回転し、図５（ｄ）に示すように、紙パック１０３の上部を叩くことになる。一方、右側のアーム１１２は、この間に、紙パック１０３の上部を叩く動作を終了し、そのコ字状部の先端がリブＡに当るように回転させられる。
【００３３】
前述したように、本発明の実施形態は、アーム１１２の回転力だけでなく、アーム１１２の撓みにより蓄えられた力をも利用して、紙パック１０３の上部を叩くことができるので、より効率的に紙パック１０３の内部の上面に付着した塵埃を紙パック１０３の内部の下方側に落とすことができる。
【００３４】
図６はアームを回転させる伝達機構の他の構成例を説明する斜視図である。図６において、６０１はフレキシブルジョイントであり、他の符号は図１、図２の場合と同一である。なお、図６には、集塵ケース蓋１１３の内側に設けられる伝達機構と、アーム１１２による除塵機構とだけを示しているが、他は前述までに説明した場合と同様に構成される。
【００３５】
図６に示す伝達機構は、図１、図２に示して説明した伝達機構の傘状のリンクギアＣ１２２とリンクギアＢ１１０とにより構成されるシャフト１２１の回転方向を直角方向に変換する機構を、バネやゴム等の弾性のある軸によるフレキシブルジョイント６０１により構成したものである。このような簡単な機構でも、回転方向を変換することができ、ギアを使用する場合より、より安価に全体を構成することができる。
【００３６】
図７は紙パックの上面を叩く除塵機構の他の構成例を説明する斜視図である。図７において、７０１は叩き板であり、他の符号は図１、図２の場合と同一である。なお、図７には、集塵ケース蓋１１３の内側に設けられる伝達機構と、叩き板１１２による除塵機構とだけを示しているが、他は前述までに説明した場合と同様に構成される。
【００３７】
図７に示す除塵機構は、前述までに説明した例におけるアーム１１２の代わりに叩き板７０１を設けて構成したものである。叩き板７０１は、プラスチックやゴム等の弾性のある部材により、通風路となる複数の穴が設けられて構成されている。この叩き板７０１が紙パック１０３の上部を叩く動作は、図５により説明したアーム１１２での場合と同様である。このような叩き板７０１を用いる除塵機構によれば、棒状の部材により形成されるアーム１１２を使用する場合より、よりソフトに紙パック１０３の上部を叩くことができる。従って、この構成によれば、紙パック１０３がデリケートな材質で構成されている場合や、繰り返し使用する布製のパックである場合にも、紙パックの損傷を低減しながら上面を叩くことができる。
【００３８】
図８は除塵機構及びその駆動機構の他の構成例を示す断側面図、図９は図８に対応する分解斜視図である。図８、図９において、８０１はフラップ、８０２はボタン、８０３はダクト、８０４は風車、８０５は風車ギア、８０６は減速ギア、８０７は叩き板、８０８はリブＣ、８０９はバネ、８１０はリブＤ、８１１は十字状部材、８１２、８１３は支点であり、他の符号は図１、図２の場合と同一である。
【００３９】
図８、図９に示す除塵機構及びその駆動機構は、ファンモータ１１７が発生させる吸引力を動力として使用するものである。そして、駆動力の発生源として、集塵ケース蓋１１３の上部に十字状部材８１１を有する円形の穴と、その穴の上部に空気を流入させたり、流入を止めたりすることができるフラップ８０１と、穴の周囲に設けたダクト８０３と、ダクト８０３内に設置した風車８０４とによる機構を備えている。フラップ８０１は、十字状部材８１１のほぼ中心部を支点８１２として、揺動可能に取り付けられている。通常、このフラップ８０１は、前述した穴を塞いでおり、除塵機構を駆動するときだけ、フラップ８０１に設けたボタン８０２が下方に押される。この結果、フラップ８０１のボタン８０２のある位置の反対側が上方に上がり、集塵ケース蓋１１３とフラップ８０１との間に隙間ができ、ファンモータ１１７が吸引空気流を作っているときには、この隙間から空気がダクト８０３内に流入可能となる。
【００４０】
一方、ダクト８０３の内部には、風車ギア８０５を有する風車８０４が十字状部材８１１の中心部に回転可能に支持されており、前述した隙間から流入する空気流により回転させられる。風車８０４と共に回転する風車ギア８０５の回転は、ダクト８０３の壁の位置に回転可能に支持されている減速ギア８０６に伝達されて減速ギア８０６を回転させる。また、減速ギア８０６の中心位置には、その位置を支点８１３として動揺可能に取り付けられた叩き板８０７が設けられている。叩き板８０７の端部は、バネ８０９によりダクト８０３に連結されて上方に引っ張られている。さらに、減速ギア８０６と叩き板８０７とには、空気流を通す複数の穴が設けられており、減速ギア８０６の下面には突起状のリブＣ８０８が設けられ、また、叩き板８０７の上面には、突起状のリブＤ８１０が設けられている。そして、減速ギア８０６の回転時に２つのリブＣ、Ｄが衝突して、叩き板８０７を端部をバネ８０９の引っ張り力に抗して下方に下げるように動揺させる。
【００４１】
前述したような構成において、ファンモータ１１７が回転していて吸引空気流を生成しているとき、図３により既に説明したように、ホース差込み口１１９からの空気流は、その主要な空気流が、紙パック１０３の背面側からファンモータ１１７に吸引され、空気流の一部が、集塵ケース蓋１１３と紙パック１０３との間に形成される上部空間に通る空気流となり、その後、ファンモータ１１７に吸引され、さらに別の空気流の一部が、集塵室１２５の底面と紙パック１０３との間に形成され空間に通る空気流となり、その後、ファンモータ１１７に吸引される。このような状態で、前述したように、フラップ８０１に設けたボタン８０２が下方に押されて、フラップ８０１のボタン８０２のある位置の反対側が上方に上げられて隙間ができると、この隙間から外部の空気が空気流９００となってダクト８０３、減速ギア８０６、叩き板８０７に設けられた通風用の穴を通してファンモータ１１７に吸引される。
【００４２】
このときに生じる空気流は、ダクト８０３の内部に設けた風車８０４を回転させ、減速ギア８０６を回転させることになる。この減速ギア８０６の回転に伴って減速ギア８０６の下面に設けたリブＣが叩き板８０７のリブＤと周期的に衝突して叩き板８０７の端部を上下に動揺させる。図８から判るように、紙パック１０３は吸引空気流により膨らんで叩き板８０７の下面に接しているので、紙パック８０７の上部は、叩き板８０７の前述したような上下の動揺により叩かれることになり、これにより、紙パック１０３の内面に付着した塵埃を紙パック１０３の内部に落とすことができる。
【００４３】
前述したような紙パック１０３内部の塵埃除去の動作は、電気掃除機を利用する使用者が、掃除を行っている途中でも行わせることができ、常に、高い吸い込み力を利用して効率よく掃除を行うことができる。
【００４４】
図１〜図９を用いて説明した本発明の実施形態によれば、紙パックの除塵機構を集塵ケース蓋に設け、紙パックの上部を叩くように構成しているので、従来技術の場合のようにフィルター後方に除塵機構を配置するのに比べ、掃除機本体の前後方向の長さを短く構成することができる。
【００４５】
また、集塵ケース蓋を取り替えることにより、除塵機構を持つ機種と持たない機種とを生産することができるので、機種展開が容易である。
【００４６】
さらに、近年主流となっているように集塵ケース蓋を透明材料で構成すれば、内部に設けられた除塵機構を外側からも一目で確認することができ、ユーザに、除塵機構の存在や動作状況を容易に把握させることができる。除塵機構の存在をアピールすることによる販売促進効果も期待できる。
【図面の簡単な説明】
【００４７】
【図１】本発明の一実施形態による電気掃除機の構造を説明する集塵ケースの蓋を開けた状態を示す本体部の斜視図である。
【図２】本発明の一実施形態による電気掃除機の内部構造を示す平面図である。
【図３】本発明の一実施形態による電気掃除機の本体部の内部の吸引空気流の流れについて説明する断側面図である。
【図４】集塵ケース蓋を開いた状態を示す断側面図である。
【図５】アームのコ字状部が紙パックの上部を叩く機構を説明する図である。
【図６】アームを回転させる伝達機構の他の構成例を説明する斜視図である。
【図７】紙パックの上面を叩く除塵機構の他の構成例を説明する斜視図である。
【図８】除塵機構及びその駆動機構の他の構成例を示す断側面図である。
【図９】図８に対応する分解斜視図である。
【符号の説明】
【００４８】
１０１  下ケース
１０２  上ケース
１０３  袋状フィルター（紙パック）
１０３’  口紙
１０４  クランプ（口紙押さえ）
１０５  電源コード
１０６  コードリールギア
１０６’  コードリール
１０７  ハンドル
１０８  コードリール引込みボタン
１０９  リンクギアＡ
１１０  リンクギアＢ
１１１  アームギア（Ｌ、Ｒ）
１１２  アーム
１１３  集塵ケース蓋
１１４  リブＡ
１１５  リブＢ
１１６  車輪
１１７  ファンモータ
１１８  基板
１１９  ホース差込み口
１２０  バンパー（兼パッキン）
１２１  シャフト
１２２  リンクギアＣ
１２３  リンクギアＤ
１２４  アーム支持板
１２５  集塵室
２０１  キャスター車輪
６０１  フレキシブルジョイント
７０１  叩き板
８０１  フラップ
８０２  ボタン
８０３  ダクト
８０４  風車
８０５  風車ギア
８０６  減速ギア
８０７  叩き板
８０８  リブＣ
８０９  バネ
８１０  リブＤ
８１１  十字状部材
８１２、８１３  支点
【図１】
2006095062.tif 000003
【図２】
2006095062.tif 000004
【図３】
2006095062.tif 000005
【図４】
2006095062.tif 000006
【図５】
2006095062.tif 000007
【図６】
2006095062.tif 000008
【図７】
2006095062.tif 000009
【図８】
2006095062.tif 000010
【図９】
2006095062.tif 000011